(57)【要約】      （修正有）【課題】口金（留金）部分を美麗に、しかも迅速かつ容易に形成することが可能で、製造効率を著しく高めることができる印鑑ケースを提供する。【解決手段】印鑑ケースにおいて、上下一対の金属製の枠体１と、枠体１を開閉自在に連結し、枠体１の一側縁に設けられる蝶番２と、枠体１の他側縁に形成され、雌雄一対の口金体からなる金属製の口金と、上下一対の枠体１にそれぞれ嵌合される上下一対のケースとを備えた印鑑ケースであって、上下一対の枠体１における口金形成位置に、それぞれ突起３１を設けるとともに、枠体１とはそれぞれ別個に成形された雌雄一対の口金体３２のそれぞれに、突起３１の形状とそれぞれ対応する嵌合孔３２１をあけ、雌型の口金体３２Ａにあけられている嵌合孔３２１に、上側又は下側いずれか一方の枠体１に設けられている突起３１を嵌合し、雄型の口金体３２Ｂにあけられている嵌合孔３２１に、残る下側又は上側いずれか一方の枠体１に設けられている突起３１を嵌合することにより、口金を形成する。【選択図】図２
0003187386.tif 000002
【実用新案登録請求の範囲】
【請求項１】
上下一対の金属製の枠体と；
前記上下一対の枠体を開閉自在に連結する、前記上下一対の枠体の一側縁に設けられる蝶番と；
前記上下一対の枠体の他側縁に形成される、雌雄一対の口金体からなる金属製の口金と；
前記上下一対の枠体にそれぞれ嵌合される上下一対のケースと；
を備えた印鑑ケースであって；
前記上下一対の枠体における口金形成位置に、それぞれ突起を設けると共に；
前記上下一対の枠体とはそれぞれ別個に成形された前記雌雄一対の口金体のそれぞれに、前記突起の形状とそれぞれ対応する嵌合孔をあけ；
前記雌型の口金体にあけられている前記嵌合孔に、前記上側又は下側いずれか一方の枠体に設けられている前記突起を嵌合し；
前記雄型の口金体にあけられている前記嵌合孔に、残る下側又は上側いずれか一方の枠体に設けられている前記突起を嵌合する；
ことにより、前記口金を形成してなる印鑑ケース。
【請求項２】
前記上下一対の枠体における口金形成位置に、前記上下一対の枠体より高く形成された嵩上げ部が設けられており、前記嵩上げ部の上面に、前記突起が設けられている、請求項１記載の印鑑ケース。
【請求項３】
前記突起が、前記上下一対の枠体の長手方向と直交する方向に突出しているものである、請求項１又は２記載の印鑑ケース。
【請求項４】
前記突起は、２個の略柱状の突起がそれぞれ前記上下一対の枠体の長手方向と直交する方向に突出しているものである、請求項１又は２記載の印鑑ケース。
【請求項５】
前記雄型の口金体と前記雌型の口金体とが、それぞれローレット加工が施されているものである、請求項１乃至４のいずれかに記載の印鑑ケース。
【考案の詳細な説明】
【技術分野】
【０００１】
本考案は、印鑑ケースに関し、詳しくは口金（留金）部分を美麗に、しかも迅速かつ容易に形成することを可能として、製造効率を著しく高めることのできる印鑑ケースに関する。
【背景技術】
【０００２】
従来、印鑑ケースとして、図６に示す如きものが知られている。図６は、従来の印鑑ケースにつき、口金３を外して、印鑑ケースを開けたときの状態を示す説明図である。
この種の印鑑ケースは、一対の金属製の枠体１と；前記一対の枠体１を開閉自在に連結する、前記枠体１の一側縁に設けられる蝶番２と；前記枠体１の他側縁に形成される、雌雄一対の金属製の口金３と；前記一対の枠体１にそれぞれ嵌合される一対のケース４と；から構成されており、口金３を外すことにより、一対の金属製の枠体１が左右に開いて、印鑑ケース中に収納されている印鑑を取り出せるようにされている。
【０００３】
ここで口金（或いは「留金」ともいい、別名「きんとき」とも呼ばれる。）は、枠体の他側縁に、雄型の口金部と雌型の口金部とを、それぞれロウ付けしたり、或いはダイキャスト成形などにより枠体と一体成形することによって形成されている（例えば、特許文献１の段落００１５など参照）。
【０００４】
しかしながら、ロウ付けで口金部分を形成する場合、ロウ付けを丁寧に行わないと、精度の高い取り付けを行うことができず、また、ロウ付けの跡が枠体に残り、美麗なものとすることができないことから、ロウ付けに労力を要し、製造効率などの点で問題があった（例えば、特許文献２の段落０００４など参照）。
【０００５】
また、ダイキャスト成形などにより、口金部分を枠体と合わせて一体成形する場合、この口金部分にダレやバリが発生し易く、また、口金部分にローレット加工を施すことができないという問題があった。
さらに、口金部分には、雄型の口金部と雌型の口金部とがあることから、一体成形する場合には、それぞれ別々の金型を用いて行う必要があり、製造効率や製造コストの面でも問題があった。
【先行技術文献】
【特許文献】
【０００６】
【特許文献１】特開２０１１−１８９６５２号公報
【特許文献２】特開２００５−２９７３７５号公報
【考案の概要】
【考案が解決しようとする課題】
【０００７】
本考案は、上記従来の問題を解決するためになされたものであり、その目的とするところは、口金（留金）部分を美麗に、しかも迅速かつ容易に形成することを可能として製造効率を著しく高めることのできる印鑑ケースを提供することにある。
【課題を解決するための手段】
【０００８】
本考案者らは、上記従来の課題を解決するため鋭意検討を重ねた。その結果、特に口金部分に工夫をこらすことにより、従来の課題を解決しうることを見出し、この知見に基づいて本考案を完成するに到った。
【０００９】
即ち、本考案は、次の如きものである。
（１）上下一対の金属製の枠体と；
前記上下一対の枠体を開閉自在に連結する、前記上下一対の枠体の一側縁に設けられる蝶番と；
前記上下一対の枠体の他側縁に形成される、雌雄一対の口金体からなる金属製の口金と；
前記上下一対の枠体にそれぞれ嵌合される上下一対のケースと；
を備えた印鑑ケースであって；
前記上下一対の枠体における口金形成位置に、それぞれ突起を設けると共に；
前記上下一対の枠体とはそれぞれ別個に成形された前記雌雄一対の口金体のそれぞれに、前記突起の形状とそれぞれ対応する嵌合孔をあけ；
前記雌型の口金体にあけられている前記嵌合孔に、前記上側又は下側いずれか一方の枠体に設けられている前記突起を嵌合し；
前記雄型の口金体にあけられている前記嵌合孔に、残る下側又は上側いずれか一方の枠体に設けられている前記突起を嵌合する；
ことにより、前記口金を形成してなる印鑑ケース。
（２）前記上下一対の枠体における口金形成位置に、前記上下一対の枠体より高く形成された嵩上げ部が設けられており、前記嵩上げ部の上面に、前記突起が設けられている、前記（１）記載の印鑑ケース。
（３）前記突起が、前記上下一対の枠体の長手方向と直交する方向に突出しているものである、前記（１）１又は前記（２）記載の印鑑ケース。
（４）前記突起は、２個の略柱状の突起がそれぞれ前記上下一対の枠体の長手方向と直交する方向に突出しているものである、前記（１）１又は前記（２）記載の印鑑ケース。
（５）前記雄型の口金体と前記雌型の口金体とが、それぞれローレット加工が施されているものである、前記（１）乃至前記（４）のいずれかに記載の印鑑ケース。
【考案の効果】
【００１０】
本考案によれば、口金（留金）部分を美麗に、しかも迅速かつ容易に形成することを可能として、製造効率を著しく高め、製造コストを低減化することのできる印鑑ケースを提供することができる。
即ち、本考案によれば、同型の一つの金型を用いており、製造効率に優れているにもかかわらず、口金（留金）部分が美麗で傷のない印鑑ケースが得られる。
【図面の簡単な説明】
【００１１】
【図１】本考案の印鑑ケースの一態様を開けたときの状態を示す斜視図である。
【図２】図１の分解状態を示す説明図である。
【図３】本考案の印鑑ケースの金属製の枠体の一態様を示す説明図であって、上側（図では左側）の金属製の枠体１Ａと、下側（図では右側）の金属製の枠体１Ｂとを分解（分離）したときの状態が示されている。
【図４】本考案の印鑑ケースにおける雌型の口金体の一態様を示す説明図である。
【図５】本考案の印鑑ケースにおける雄型の口金体の一態様を示す説明図である。
【図６】従来の印鑑ケースを開けたときの状態を示す説明図である。
【考案を実施するための形態】
【００１２】
本考案は印鑑ケースに関し、
上下一対の金属製の枠体と；
前記上下一対の枠体を開閉自在に連結する、前記上下一対の枠体の一側縁に設けられる蝶番と；
前記上下一対の枠体の他側縁に形成される、雌雄一対の口金体からなる金属製の口金と；
前記上下一対の枠体にそれぞれ嵌合される上下一対のケースと；
を備えた印鑑ケースであって；
前記上下一対の枠体における口金形成位置に、それぞれ突起を設けると共に；
前記上下一対の枠体とはそれぞれ別個に成形された前記雌雄一対の口金体のそれぞれに、前記突起の形状とそれぞれ対応する嵌合孔をあけ；
前記雌型の口金体にあけられている前記嵌合孔に、前記上側又は下側いずれか一方の枠体に設けられている前記突起を嵌合し；
前記雄型の口金体にあけられている前記嵌合孔に、残る下側又は上側いずれか一方の枠体に設けられている前記突起を嵌合する；
ことにより、前記口金を形成してなるものである。
【００１３】
以下、本考案を図面により詳細に説明する。
図１は、本考案の印鑑ケースの一態様を開けたときの状態を示す斜視図である。また、図２は、図１の分解状態を示す説明図である。
次に、図３は、本考案の印鑑ケースの金属製の枠体の一態様を示す説明図であって、上側（図では左側）の金属製の枠体１Ａと、下側（図では右側）の金属製の枠体１Ｂとを分解（分離）したときの状態が示されている。
さらに、図４は、本考案の印鑑ケースにおける雌型の口金体の一態様を示す説明図であり、図５は、本考案の印鑑ケースにおける雄型の口金体の一態様を示す説明図である。
【００１４】
図１〜５に示されるように、本考案の印鑑ケースは、図６に示した従来の印鑑ケースと同様に、上下一対の金属製の枠体１と；前記上下一対の枠体１を開閉自在に連結する、前記上下一対の枠体１の一側縁に設けられる蝶番２と；前記上下一対の枠体１の他側縁に形成される、雌雄一対の口金体からなる金属製の口金３と；前記上下一対の枠体１にそれぞれ嵌合される上下一対のケース４と；を備えている。
なお、図中、符号５は朱肉入れである。
【００１５】
ここで上下一対の金属製の枠体１は、図３に示されるように、これを閉じたときに上側となる、上側（図では左側）の金属製の枠体１Ａと；これを閉じたときに下側となる、下側（図では右側）の金属製の枠体１Ｂとからなっている。
この枠体１は、金型を用いて、ダイキャスト成形法などにより形成される。
【００１６】
次に、蝶番（ヒンジ）２は、前記上下一対の枠体１の一側縁に設けられているが、本考案においては、図６に示した従来の印鑑ケースと同様に、枠体１の形成時に、枠体１のそれぞれ一側縁に、蝶番２の基になる筒部がそれぞれ形成されていて、この筒部にピンが挿入されて、前記蝶番２が形成されている。
なお、枠体１の形成時に、枠体１のそれぞれ一側縁に形成される、蝶番２の基になる筒部は、通常、間隔をおいて２箇所設けられており、上下一対の金属製の枠体１を組み合わせたときに、それぞれの筒部が互い違いになるような位置に設けられている。このため上下一対の金属製の枠体１を組み合わせ、この筒部にピンを挿入したときに、一体となって蝶番２を形成することができる。
図３は、本考案の印鑑ケースの金属製の枠体の一態様を示す説明図であって、上側（図では左側）の金属製の枠体１Ａと、下側（図では右側）の金属製の枠体１Ｂとを分解（分離）したときの状態が示されている。
図３において、上側（図では左側）の金属製の枠体１Ａの一側縁には、上方筒部２１Ａと下方筒部２１Ｂとからなる筒部が形成されている。
一方、下側（図では右側）の金属製の枠体１Ｂ一側縁には、上方筒部２２Ａと下方筒部２２Ｂとからなる筒部が形成されている。
ここで、上側（図では左側）の金属製の枠体１Ａと、下側（図では右側）の金属製の枠体１Ｂとは、同じ向きに置いたときには、同じ形状をしたものであり、これを上下（左右）に組み合わせているものである。
そして、上側（図では左側）の金属製の枠体１Ａと、下側（図では右側）の金属製の枠体１Ｂとを、それぞれの筒部［上側の金属製の枠体１Ａに形成されている上方筒部２１Ａと下方筒部２１Ｂと；下側の金属製の枠体１Ｂに形成されている上方筒部２２Ａと下方筒部２２Ｂと；］が一直線状になるような向きにして互いに突き合わせ、ピン２３を挿入することにより、蝶番２が形成され、一体化されることになる。
【００１７】
また、上下一対のケース（カバー体）４は、上側（図では左側）のケース４Ａと、下側（図では右側）のケース４Ｂとからなっている。
ケース４は、断面形状がそれぞれ略半円形状乃至略かまぼこ形状のものであって、外面が、革、布、プラスチック等により形成され、内面は、布地等が貼られている。
上下一対のケース４は、上記した上下一対の金属製の枠体１に嵌合（嵌め合い固定）されている。即ち、上側（図では左側）のケース４Ａは、上側（図では左側）の金属製の枠体１Ａに、また、下側（図では右側）のケース４Ｂは、下側（図では右側）の金属製の枠体１Ｂに、それぞれ嵌合（嵌め合い固定）されている。嵌合（嵌め合い固定）に当たっては、さらに接着剤などを用いるとよい。
【００１８】
本考案は、上記した如き印鑑ケースにおいて、特に口金３に特徴を有するものであって、口金３を、前記上下一対の枠体１における口金形成位置に設けられている突起３１と；前記上下一対の枠体１とはそれぞれ別個に成形されていて、前記突起３１に嵌合する嵌合孔３２１をそれぞれあけられている雌雄一対の口金体３２（雌型の口金体３２Ａと雄型の口金体３２Ｂ）と；により形成している点に最大の特色を有している。
【００１９】
即ち、本考案においては、図２、図３に示すように、まず前記上下一対の枠体１における口金形成位置に突起３１を設けている。
突起３１は、枠体１の成形時に、上下一対の枠体１における口金形成位置に一緒に形成される。
ここで突起３１は、上下一対の枠体１を同じ向きに置いたときには、上側（図では左側）の金属製の枠体１Ａと、下側（図では右側）の金属製の枠体１Ｂとで、同じ位置にあり、しかも同じ形状をしている。
従って、本考案においては、上側（図では左側）の金属製の枠体１Ａと、下側（図では右側）の金属製の枠体１Ｂとは、同じ形状のもの１種で賄うことができる。即ち、同じ形状の２枚の枠体を、上下左右逆さまにして、上側（図では左側）の金属製の枠体１Ａと、下側（図では右側）の金属製の枠体１Ｂと、に用いることができ、これにより製造効率が高められている。
【００２０】
突起３１は、その形状にもよるが、枠体１のそれぞれに少なくとも１個形成されていればよい。図２、図３では、それぞれ２個の突起３１を設けたものを示している。通常、突起３１は、枠体１のそれぞれに１〜２個程度設けられるが、これに限定されるものではない。
突起３１としては、上下一対の枠体１における口金形成位置から、前記上下一対の枠体の長手方向と直交する方向に突出しているものである。
図２、図３では、間隔をおいて置かれた２個の略柱状（特に円柱状）の突起３１がそれぞれ前記上下一対の枠体１の長手方向と直交する方向に突出しているものを示している。
突起３１の形状としては、図２、図３に示すような略柱状（さらに詳しくは円柱状の他に角柱状など）のものがあり、これは断面形状でみると略円形や正方形である。突起３１の断面形状としては、この略円形や正方形の他に、略長方形のものや、略楕円形のものなどとすることもでき、略長方形のものや、略楕円形のもののように大きめの場合には、突起３１は、通常、１個設けられる。
【００２１】
なお、前記上下一対の枠体１における口金形成位置に突起３１を設けるにあたっては、前記上下一対の枠体１における口金形成位置に、前記上下一対の枠体１より高く形成された嵩上げ部３１１を設けておき、この嵩上げ部３１１の上面に、前記突起３１を設けることにより、上側と下側の口金の高さを合わせるのが容易となる。
ここで嵩上げ部３１１とは、前記上下一対の枠体１より一段と高く形成した部分を指している。この嵩上げ部３１１は、通常、図２、図３に示すような、断面が略長方形のものとされるが、これに限定されるものではなく、断面が略楕円形のものなどとすることもできる。
【００２２】
一方、前記上下一対の枠体１とはそれぞれ別個に（別の見方をすれば、前記上下一対の枠体１における口金形成位置に設けられている突起３１とは別個に）、雌雄一対の口金体３２（雌型の口金体３２Ａと雄型の口金体３２Ｂ）を成形しておき、この雌雄一対の口金体３２（即ち、雌型の口金体３２Ａと雄型の口金体３２Ｂ）のそれぞれ下面に、前記突起３１の形状とそれぞれ対応する嵌合孔３２１をあけている。
即ち、嵌合孔３２１の形状は、これに嵌合する前記突起３１の形状と対応するものとされている。例えば、突起３１の断面形状が略円形であれば、嵌合孔３２１も略円形状とし、突起３１の断面形状が略正方形であれば、嵌合孔３２１も略正方形状とする。また、嵌合孔３２１の大きさは、突起３１がぴったりと嵌まり、かつ、簡単には抜け落ちない程度の大きさとする。嵌まり具合としては、ややきつめに嵌まるくらいが好適である。即ち、ここで「嵌合」とは、嵌合孔３２１に、突起３１が、かたく嵌まり合い、固定される関係のことを指している。
さらに、嵌合孔３２１の数は、前記突起３１の設置個数と対応するものとされている。図２、図３では、前記突起３１の設置個数各２個と合わせて、雌雄一対の口金体３２（雌型の口金体３２Ａと雄型の口金体３２Ｂ）のそれぞれに、２個ずつ嵌合孔３２１をあけているものが示されている。
【００２３】
そして、前記雌型の口金体３２Ａにあけられている前記嵌合孔３２１に、前記上側又は下側いずれか一方の枠体に設けられている前記突起３１を嵌合し；前記雄型の口金体３２Ｂにあけられている前記嵌合孔３２１に、残る（まだ嵌合されていない）下側又は上側いずれか一方の枠体に設けられている前記突起３１を嵌合する。
図２、３は、このうち、前記雌型の口金体３２Ａにあけられている前記嵌合孔３２１に、前記上側の枠体１Ａに設けられている前記突起３１を嵌合し；前記雄型の口金体３２Ｂにあけられている前記嵌合孔３２１に、残る下側の枠体１Ｂに設けられている前記突起３１を嵌合したものを示している。場合によっては、この逆に、前記雌型の口金体３２Ａにあけられている前記嵌合孔３２１に、前記下側の枠体１Ｂに設けられている前記突起３１を嵌合し；前記雄型の口金体３２Ｂにあけられている前記嵌合孔３２１に、残る上側の枠体１Ａに設けられている前記突起３１を嵌合してもよい。
図２、３に示す態様では、前記雌型の口金体３２Ａにあけられている前記嵌合孔３２１に、前記上側の枠体１に設けられている前記突起３１を嵌合し；前記雄型の口金体３２Ｂにあけられている前記嵌合孔３２１に、前記下側の枠体１に設けられている前記突起３１を圧入して嵌合し（嵌め合い固定し）；これにより、口金を形成している。嵌合後、さらに接着剤などを用いて固着するとよい。
前記雌型の口金体３２Ａと前記雄型の口金体３２Ｂとには、それぞれローレット加工を施しておくと、滑り止めが図れると共に高級感に優れたものとなる。
なお、雌雄一対の口金体３２のうち、雄型の口金体３２Ｂとは、雌型の口金体３２Ａと対面して係合する部分に、若干突出する突出部（膨出部）が形成されているものを指し、一方、雌型の口金体３２Ａとは、雄型の口金体３２Ｂと対面して係合する部分に、前記突出部に適合する凹み部（凹部）が形成されているものを指している。この突出部（膨出部）と凹み部（凹部）の形状は、従来の印鑑ケースにおけるものと同様のものであり、両者が咬み合って、雌型の口金体３２Ａと雄型の口金体３２Ｂとが係合する。
【００２４】
本考案の印鑑ケースは、上記の如き口金３としたこと以外は、図６に示した従来の印鑑ケースと同様に、上下一対の金属製の枠体１と；前記上下一対の枠体１を開閉自在に連結する、前記上下一対の枠体１の一側縁に設けられる蝶番２と；前記上下一対の枠体１の他側縁に形成される、雌雄一対の口金部からなる金属製の口金３と；前記上下一対の枠体１にそれぞれ嵌合される上下一対のケース４と；を備えている。
【００２５】
本考案の印鑑ケースは、上下一対の金属製の枠体１と；上下一対の枠体１を開閉自在に連結する、上下一対の枠体１の一側縁に設けられる蝶番２と；上下一対の枠体１の他側縁に形成される、雌雄一対の口金体からなる金属製の口金３と；上下一対の枠体１にそれぞれ嵌合される上下一対のケース４と；を備えた印鑑ケースにおいて；上下一対の枠体１における口金形成位置に、それぞれ突起３１を設けると共に；上下一対の枠体１とはそれぞれ別個に成形された雌雄一対の口金体３２のそれぞれに、突起３１の形状とそれぞれ対応する嵌合孔３２１をあけ；雌型の口金体３２Ａにあけられている嵌合孔３２１に、上側又は下側いずれか一方の枠体１（図２、３では、上側の枠体１Ａ）に設けられている突起３１を嵌合し；雄型の口金体３２Ｂにあけられている嵌合孔３２１に、残る下側又は上側いずれか一方の枠体１（図２、３では、下側の枠体１Ｂ）に設けられている突起３１を嵌合する；ことにより、前記口金を形成することによって、得られる。
【００２６】
本考案の印鑑ケースは、上記の如きものであるため、上側（図では左側）の金属製の枠体１Ａと、下側（図では右側）の金属製の枠体１Ｂとは、同じ形状のもの１種で賄うことができ、これにより製造効率が高められ、製造コストの低減化を図ることができる。
また、本考案によれば、口金部分を枠体と合わせて一体成形する場合にみられる、口金部分のダレやバリの発生といった問題や口金部分にローレット加工を施すことができないという問題もない。
さらに、本考案の印鑑ケースは、ロウ付けで口金部分を形成したものではないことから、ロウ付けに労力を要するといった問題もなく、また、ロウ付けの跡が枠体に残り、美麗なものとすることができないといった問題もない。
【符号の説明】
【００２７】
１：枠体
１Ａ：上側（図では左側）の金属製の枠体
１Ｂ：下側（図では右側）の金属製の枠体
２：蝶番
２１Ａ：上側の金属製の枠体１Ａに形成されている上方筒部
２１Ｂ：上側の金属製の枠体１Ａに形成されている下方筒部
２２Ａ：下側の金属製の枠体１Ｂに形成されている上方筒部
２２Ｂ：下側の金属製の枠体１Ｂに形成されている下方筒部
２３：ピン
３：口金
３１：突起
３１１：嵩上げ部
３２：口金体
３２Ａ：雌型の口金体
３２Ｂ：雄型の口金体
３２１：嵌合孔
４：ケース
４Ａ：上側（図では左側）のケース
４Ｂ：下側（図では右側）のケース
５：朱肉入れ
【図１】
0003187386.tif 000003
【図２】
0003187386.tif 000004
【図３】
0003187386.tif 000005
【図４】
0003187386.tif 000006
【図５】
0003187386.tif 000007
【図６】
0003187386.tif 000008